(57)【要約】【課題】通信時間を短縮することが可能なレンズ装置を提供する。【解決手段】撮像装置に着脱可能なレンズ装置（１００）であって、第１の通信方式と第２の通信方式により撮像装置（２００）と通信する通信部（１２３）と、第１の通信方式による通信の際に、通信状態に関する信号を撮像装置に出力する信号出力部（１２４）とを有し、信号出力部は、第１の通信方式による通信の際に、通信状態に関する前記信号を第１のレベルに制御する第１のトランジスタ（１２４ｂ）と、通信状態に関する信号を第１のレベルから第２のレベルへ変化させる第２のトランジスタ（１２４ａ）と、を有する【選択図】図１
2018081219.tif 000002
【特許請求の範囲】
【請求項１】
撮像装置に着脱可能なレンズ装置であって、
第１の通信方式と第２の通信方式により前記撮像装置と通信可能な通信部と、
前記第１の通信方式による通信の際に、通信状態に関する信号を前記撮像装置に出力する信号出力部と、を有し、
前記信号出力部は、前記第１の通信方式による前記通信の際に、
前記通信状態に関する前記信号を第１のレベルに制御する第１のトランジスタと、
前記通信状態に関する前記信号を前記第１のレベルから第２のレベルへ変化させる第２のトランジスタと、を有することを特徴とするレンズ装置。
【請求項２】
前記信号出力部は、前記通信状態が前記撮像装置との通信を行わない通信待機状態である場合、前記第１のトランジスタをオンし、前記通信状態に関する前記信号を前記第１のレベルに制御することを特徴とする請求項１に記載のレンズ装置。
【請求項３】
前記信号出力部は、前記通信待機状態を解除する際に、前記第１のトランジスタをオフしてから前記第２のトランジスタを一時的にオンすることにより、前記通信状態に関する前記信号を前記第２のレベルへ変化させることを特徴とする請求項２に記載のレンズ装置。
【請求項４】
前記第１のトランジスタは、前記通信状態に関する前記信号の出力端子とＧＮＤ端子との間に接続された第１のＦＥＴであり、
前記第２のトランジスタは、前記出力端子と電源端子との間に接続された第２のＦＥＴであることを特徴とする請求項１乃至３のいずれか１項に記載のレンズ装置。
【請求項５】
前記第２のＦＥＴと並列に前記出力端子と前記電源端子との間に接続されたプルアップ抵抗を更に有することを特徴とする請求項４に記載のレンズ装置。
【請求項６】
前記第１の通信方式はオープンドレイン方式であり、
前記第２の通信方式はＣＭＯＳ方式であることを特徴とする請求項１乃至５のいずれか１項に記載のレンズ装置。
【請求項７】
前記信号出力部は、前記通信部の基準信号に前記通信状態に関する前記信号を重畳して前記撮像装置に出力することを特徴とする請求項１乃至６のいずれか１項に記載のレンズ装置。
【請求項８】
前記通信部は、前記基準信号に同期して前記撮像装置と通信することを特徴とする請求項７に記載のレンズ装置。
【請求項９】
レンズ装置を着脱可能な撮像装置であって、
第１の通信方式と第２の通信方式とを切り替えて前記レンズ装置と通信する通信部と、
前記第１の通信方式による通信の際に、通信状態に関する信号を前記通信部に出力する信号出力部と、を有し、
前記信号出力部は、前記第１の通信方式による前記通信の際に、
前記通信状態に関する前記信号を第１のレベルに制御する第１のトランジスタと、
前記通信状態に関する前記信号を前記第１のレベルから第２のレベルへ変化させる第２のトランジスタと、を有することを特徴とする撮像装置。
【請求項１０】
撮像装置に着脱可能であって、第１の通信方式と第２の通信方式により該撮像装置と通信可能なレンズ装置の通信制御方法であって、
前記第１の通信方式による通信の際に、通信状態を判定するステップと、
前記通信状態が第１の状態である場合、第１のトランジスタをオンして前記通信状態に関する信号を第１のレベルに制御するステップと、
前記通信状態が第２の状態である場合、前記第１のトランジスタをオフした状態で第２のトランジスタを一時的にオンすることにより、前記通信状態に関する前記信号を前記第１のレベルから第２のレベルへ変化させるステップと、を有することを特徴とするレンズ装置の通信制御方法。
【請求項１１】
レンズ装置を着脱可能であって、第１の通信方式と第２の通信方式により該レンズ装置と通信可能な撮像装置の通信制御方法であって、
前記レンズ装置との通信方式を前記第２の通信方式から前記第１の通信方式へ切り替えるステップと、
前記第１の通信方式による通信の際に、第１のトランジスタおよび第２のトランジスタを用いて、前記撮像装置に出力される通信状態に関する信号を制御するステップと、を有し、
前記通信状態に関する前記信号を制御するステップは、
第１のトランジスタをオンして前記通信状態に関する前記信号を第１のレベルに制御するステップと、
前記第１のトランジスタをオフした状態で第２のトランジスタを一時的にオンすることにより、前記通信状態に関する前記信号を前記第１のレベルから第２のレベルへ変化させるステップと、を有することを特徴とする撮像装置の通信制御方法。
【発明の詳細な説明】
【技術分野】
【０００１】
本発明は、カメラ本体と通信することが可能な交換レンズに関する。
【背景技術】
【０００２】
従来から、カメラ本体とカメラ本体に装着された交換レンズとのカメラシステムにおいて、カメラ本体と交換レンズは、カメラ本体がマスタ、交換レンズがスレーブとして通信を行うことが可能である。このようなカメラシステムは、カメラ本体と交換レンズとの間で適切な通信を行うことができるように、その通信方式をオープンドレイン方式とＣＭＯＳ方式との間で相互に切り替える。
【０００３】
特許文献１には、互換性を維持した状態でオープンドレイン方式とＣＭＯＳ方式との切り替えを互いに干渉することなく実行可能なカメラおよび交換レンズが開示されている。
【先行技術文献】
【特許文献】
【０００４】
【特許文献１】特許第３６５８０８４号公報
【発明の概要】
【発明が解決しようとする課題】
【０００５】
しかしながら、特許文献１の構成では、オープンドレイン方式で通信を行う際において、通信ラインの抵抗成分や寄生容量により信号波形の立ち上がりに時間が掛かる。このため、カメラ本体と交換レンズとの間の通信時間を短縮することは困難である。
【０００６】
そこで本発明は、通信時間を短縮することが可能なレンズ装置および撮像装置を提供することを目的とする。
【課題を解決するための手段】
【０００７】
本発明の一側面としてのレンズ装置は、撮像装置に着脱可能なレンズ装置であって、第１の通信方式と第２の通信方式により前記撮像装置と通信可能な通信部と、前記第１の通信方式による通信の際に、通信状態に関する信号を前記撮像装置に出力する信号出力部とを有し、前記信号出力部は、前記第１の通信方式による前記通信の際に、前記通信状態に関する前記信号を第１のレベルに制御する第１のトランジスタと、前記通信状態に関する前記信号を前記第１のレベルから第２のレベルへ変化させる第２のトランジスタとを有する。
【０００８】
本発明の他の側面としての撮像装置は、レンズ装置を着脱可能な撮像装置であって、第１の通信方式と第２の通信方式とを切り替えて前記レンズ装置と通信する通信部と、前記第１の通信方式による通信の際に、通信状態に関する信号を前記通信部に出力する信号出力部とを有し、前記信号出力部は、前記第１の通信方式による前記通信の際に、前記通信状態に関する前記信号を第１のレベルに制御する第１のトランジスタと、前記通信状態に関する前記信号を前記第１のレベルから第２のレベルへ変化させる第２のトランジスタとを有する。
【０００９】
本発明の他の側面としてのレンズ装置の通信制御方法は、撮像装置に着脱可能であって、第１の通信方式と第２の通信方式により該撮像装置と通信可能なレンズ装置の通信制御方法であって、前記第１の通信方式による通信の際に、通信状態を判定するステップと、前記通信状態が第１の状態である場合、第１のトランジスタをオンして前記通信状態に関する信号を第１のレベルに制御するステップと、前記通信状態が第２の状態である場合、前記第１のトランジスタをオフした状態で第２のトランジスタを一時的にオンすることにより、前記通信状態に関する前記信号を前記第１のレベルから第２のレベルへ変化させるステップとを有する。
【００１０】
本発明の他の側面としての撮像装置の通信制御方法は、レンズ装置を着脱可能であって、第１の通信方式と第２の通信方式により該レンズ装置と通信可能な撮像装置の通信制御方法であって、前記レンズ装置との通信方式を前記第２の通信方式から前記第１の通信方式へ切り替えるステップと、前記第１の通信方式による通信の際に、第１のトランジスタおよび第２のトランジスタを用いて、前記撮像装置に出力される通信状態に関する信号を制御するステップとを有し、前記通信状態に関する前記信号を制御するステップは、第１のトランジスタをオンして前記通信状態に関する前記信号を第１のレベルに制御するステップと、前記第１のトランジスタをオフした状態で第２のトランジスタを一時的にオンすることにより、前記通信状態に関する前記信号を前記第１のレベルから第２のレベルへ変化させるステップとを有する。
【００１１】
本発明の他の目的及び特徴は、以下の実施形態において説明される。
【発明の効果】
【００１２】
本発明によれば、通信時間を短縮することが可能なレンズ装置および撮像装置を提供することができる。
【図面の簡単な説明】
【００１３】
【図１】本実施形態における撮像システムのブロック図である。
【図２】本実施形態における通信回路の構成図である。
【図３】本実施形態におけるカメラ本体と交換レンズとの間の通信のフローチャートである。
【図４】本実施形態における通信待機要求時のタイミングチャートである。
【発明を実施するための形態】
【００１４】
以下、本発明の実施形態について、図面を参照しながら詳細に説明する。
【００１５】
まず、図１を参照して、本実施形態における撮像システムについて説明する。図１は、撮像システム１０（カメラシステム）のブロック図である。撮像システム１０は、カメラ本体２００（撮像装置）と、カメラ本体２００に着脱可能な交換レンズ１００（レンズ装置）とを備えて構成される。交換レンズ１００は、マウント３００を介してカメラ本体２００と電気的および機械的に着脱可能に接続される。
【００１６】
交換レンズ１００は、撮像光学系を有する。撮像光学系は、複数のレンズユニットを備えて構成されており、物体の光学像（被写体像）を形成する。本実施形態の撮像光学系は、物体側から像面側へ順に、フィールドレンズ１０１、変倍レンズとしてのズームレンズ１０２、光量を調整する絞りユニット１０５、アフォーカルレンズ１０３、および、合焦レンズとしてのフォーカスレンズ１０４を有する。このようにフォーカスレンズ１０４が物体側から見て後方（像面側）に配置されるレンズ構成はリアフォーカスレンズと呼び、小型のレンズ交換式カメラなどで一般的に用いられている。
【００１７】
光軸ＯＡに沿った方向（光軸方向）に移動して焦点距離を変更するズームレンズ１０２と光軸方向に移動して焦点を調整するフォーカスレンズ１０４はそれぞれ、レンズ保持枠１０６、１０７により保持されている。レンズ保持枠１０６、１０７は、ガイド軸により光軸方向に移動可能となるよう構成されており、ズームレンズ１０２とフォーカスレンズ１０４はそれぞれアクチュエータ１１０、１１１により光軸方向に移動（駆動）される。
【００１８】
レンズ制御部１２０は、ＣＰＵなどのレンズマイコン１２１、電源部１２２、通信部１２３、および、通信待機要求手段１２４（信号出力部）を有し、後述するカメラ本体２００から送信される命令に応じて各種制御を行う。なお、通信待機要求手段１２４の詳細については後述する。レンズマイコン１２１は、ＣＰＵなどのカメラマイコン２１１から通信部２１３、１２３を介して与えられる制御信号に応じて、撮像光学系の駆動を制御する。またレンズマイコン１２１は、交換レンズ１００の鏡筒に設けられたフォーカスリング１０８などの操作指示手段からの信号（入力信号）に応じた制御を行い、交換レンズ１００の動作全体の制御を司る。フォーカスリング１０８の回転量は、フォトインタラプタ（ＰＩ）などの検出部１１８により検出される。また交換レンズ１００は、必要に応じて、角速度を検出する角速度センサ（ＧＹＲＯ）１１７を有する。
【００１９】
アクチュエータ（ＡＣＴ）１１０は、機械的な溝に沿ってズームレンズ１０２が移動するカム機構であり、撮像光学系のズーム変倍動作を行う。位置検出回路１１３は、交換レンズ１００の鏡筒に設けられたズームリング（不図示）の回転によるズームレンズ１０２の光軸方向への移動量および位置に関する情報を検出し、検出した情報をレンズマイコン１２１に与える。アクチュエータ（ＡＣＴ）１１１は、駆動回路１１４により駆動される。駆動回路１１４は、レンズマイコン１２１から入力される駆動信号に応じてアクチュエータ１１１を駆動する。すなわち撮像光学系のズーム変倍動作に伴うフォーカス合焦動作は、デジタルカメラなどで一般的に用いられているカム軌跡データを利用した電子カム方式により、アクチュエータ１１１を制御することで行われる。
【００２０】
光量を調整する絞りユニット１０５は、絞り羽根１０５ａ、１０５ｂを有する。絞り羽根１０５ａ、１０５ｂの状態は、フォトインタラプタ（ＰＩ）１１６により検出される。レンズマイコン１２１は、フォトインタラプタ１１６からの信号に基づいて、駆動回路１１５に制御信号を出力する。駆動回路１１５は、その制御信号に基づいて絞りアクチュエータ（ＡＣＴ）１１２を駆動する。
【００２１】
カメラ本体２００は、撮像素子２０１、Ａ／Ｄ変換回路２０２、信号処理回路２０３、記録媒体２０４、メモリ２０５、表示部２０６、操作入力部２０７、および、カメラ制御部２１０を有する。カメラ制御部２１０は、ＣＰＵなどのカメラマイコン２１１、電源部２１２、および、通信部２１３を有する。
【００２２】
撮像素子２０１は、ＣＣＤセンサやＣＭＯＳセンサを有し、交換レンズ１００（撮像光学系）を介して形成された光学像を光電変換して電気信号（画像データとしてのアナログ信号）を出力する。撮像素子２０１から出力されたアナログ信号は、Ａ／Ｄ変換回路２０２によりデジタル信号に変換され、信号処理回路２０３に入力される。信号処理回路２０３は、入力されたデジタル信号に対して各種の画像処理を施すことにより、画像の合焦状態を表すフォーカス情報の生成、露出状態を表す輝度信号情報の生成、および、記録可能なデータ形式への変換を行う。信号処理回路２０３からの出力信号（画像信号）は、記録媒体２０４に送られて記録される。また並行して、信号処理回路２０３から出力された画像信号は表示部２０６に表示され、ユーザは撮影対象の被写体像の構図や合焦状態などを確認することができる。また表示部２０６は、ユーザにより操作されるメニュー画面を表示する。
【００２３】
カメラマイコン２１１は、撮影指示スイッチ、メニュー画面、および、カメラ設定関連スイッチなどの操作入力部２０７からの信号（操作入力信号）に応じて、カメラ本体２００を制御する。またカメラマイコン２１１は、絞りユニット１０５およびフォーカスレンズ１０４の駆動命令、フォーカスリング１０８の制御設定、並びに、交換レンズ１００への動作要求および設定をレンズマイコン１２１に指示する。
【００２４】
交換レンズ１００とカメラ本体２００は、マウント３００を介して、機械的および電気的に接続されている。また交換レンズ１００とカメラ本体２００は、端子３０１〜３０７（交換レンズ１００の端子３０１ａ〜３０７ａ、カメラ本体２００の端子３０１ｂ〜３０７ｂ）を経由して通信を行うことが可能である。本実施形態において、レンズマイコン１２１とカメラマイコン２１１は、端子３０５、３０６、３０７（通信線）を介して、基準信号（基準クロック信号）に同期した通信を行う。また交換レンズ１００は、端子３０１、３０２、３０３、３０４を介して、カメラ本体２００から電源を取得する。この電源は、アクチュエータ１１０、１１１、１１２の駆動やレンズマイコン１２１の処理などに用いられる電源として消費される。
【００２５】
本実施形態において、交換レンズ１００のレンズ制御部１２０は、前述のように通信待機要求手段１２４（信号出力部）を有する。カメラ本体２００と交換レンズ１００は、３本の通信線（端子３０５、３０６、３０７）を介して同期通信を行い、カメラ本体２００がマスタ、交換レンズ１００がスレーブとして通信を行う。カメラ本体２００は、交換レンズ１００を動作させるために駆動命令を交換レンズ１００へ送信する。交換レンズ１００は、カメラ本体２００から受信した命令に従って動作するが、その際にレンズマイコン１２１で受信した命令を処理する必要がある。交換レンズ１００は、レンズマイコン１２１が処理を行っている間はカメラ本体２００の命令を受けることができないため、カメラ本体２００に対して通信待機（ＢＵＳＹ）命令（通信待機要求信号）を送信する必要がある。通信待機要求信号は、同期通信の基準信号ＬＣＬＫ（基準クロック信号）に重畳させて送信される。
【００２６】
次に、図２を参照して、カメラ本体２００と交換レンズ１００との間の通信制御方法について説明する。図２は、本実施形態における通信回路（通信部１２３、通信待機要求手段１２４、および、通信部２１３）の構成図であり、カメラ本体２００と交換レンズ１００との間の通信回路を模式的に示している。
【００２７】
カメラ本体２００（カメラ制御部２１０）の通信部２１３は、スイッチ２１３ａ（ＳＷ１）およびスイッチ２１３ｂ（ＳＷ２）を有する。カメラマイコン２１１は、スイッチ２１３ａ、２１３ｂのＯＮ／ＯＦＦを切り替えることにより、通信方式をＣＭＯＳ方式（第２の通信方式）またはオープンドレイン方式（第１の通信方式）に切り替えることが可能である。具体的には、ＣＭＯＳ方式の通信を行う場合、スイッチ２１３ａをＯＮ、スイッチ２１３ｂをＯＦＦにそれぞれ設定する。一方、オープンドレイン通信を行う場合、スイッチ２１３ａをＯＦＦ、スイッチ２１３ｂをＯＮにそれぞれ設定する。
【００２８】
通信部２１３は、ＰｃｈＦＥＴ２１４ａ、ＮｃｈＦＥＴ２１４ｂ、２１５を有する。交換レンズ１００は、ＰｃｈＦＥＴ１２４ａと並列に端子３０４ａと端子３０５ａとの間に接続されたプルアップ抵抗１２５を有する。ＣＭＯＳ方式（第２の通信方式）の通信を行う場合、カメラマイコン２１１からの基準信号ＬＣＬＫ（基準クロック信号）は、ＰｃｈＦＥＴ２１４ａおよびＮｃｈＦＥＴ２１４ｂのそれぞれのゲートにゲート電圧として印加される。そして、ゲート電圧に応じてＰｃｈＦＥＴ２１４ａおよびＮｃｈＦＥＴ２１４ｂのいずれか一方がＯＮすることにより、基準信号ＬＣＬＫが交換レンズ１００へ出力される。オープンドレイン方式（第１の通信方式）の通信を行う場合、カメラマイコン２１１からの基準信号ＬＣＬＫは、ＮｃｈＦＥＴ２１５のゲートにゲート電圧として印加される。そして、ゲート電圧に応じてＮｃｈＦＥＴ２１５がＯＮ／ＯＦＦすることにより、基準信号ＬＣＬＫが交換レンズ１００へ出力される。
【００２９】
交換レンズ１００（レンズ制御部１２０）の通信部１２３は、カメラ本体２００から送信される信号を受信する。またレンズ制御部１２０は、カメラ本体２００に対して、基準信号ＬＣＬＫに重畳させて通信待機要求信号を送信するための回路である通信待機要求手段１２４を有する。通信待機要求手段１２４は、ＰｃｈＦＥＴ１２４ａ（ＨｉｇｈサイドＦＥＴ）、ＮｃｈＦＥＴ１２４ｂ（ＬｏｗサイドＦＥＴ）、プルアップ抵抗１２４ｃ、および、プルダウン抵抗１２４ｄを有する。ＰｃｈＦＥＴ１２４ａは、後述の端子３０４ａと端子３０５ａとの間に接続された第２のトランジスタ（第２のＦＥＴ）である。ＮｃｈＦＥＴ１２４ｂは、後述の端子３０２ａと端子３０５ａとの間に接続された第１のトランジスタ（第１のＦＥＴ）である。
【００３０】
図１および図２に示されるように、通信部１２３は、入力端子（ＶＤＤ、ＤＧＮＤ、ＬＣＬＫ、ＤＣＬ）と出力端子（ＤＬＣ、１２３ａ、１２３ｂ）を有する。端子ＶＤＤは、端子３０４ａに対応する電源端子である。端子ＤＧＮＤは、端子３０２ａに対応し、電源のＧＮＤ端子である。端子ＬＣＬＫは、端子３０５ａに対応し、前述のように同期通信の基準信号ＬＣＬＫの入力端子（または、通信状態に関する信号の出力端子）である。端子ＤＣＬは、端子３０６ａに対応し、カメラ本体２００から交換レンズ１００に対して、基準信号ＬＣＬＫの立ち上がりに同期して送信されるデータ信号ＤＣＬの入力端子である。端子ＤＬＣは、端子３０７ａに対応し、交換レンズ１００からカメラ本体２００に対して、基準信号ＬＣＬＫに同期して送信されるデータ信号ＤＬＣの出力端子である。端子１２３ａは、ＰｃｈＦＥＴ１２４ａのゲートに接続されているＢＵＳＹ＿ＰＵＳＨ信号の出力端子である。端子１２３ｂは、ＮｃｈＦＥＴ１２４ｂのゲートに接続されているＢＵＳＹ信号（通信待機信号）の出力端子である。なお本実施形態において、通信待機要求手段１２４は交換レンズ１００（レンズ制御部１２０）に設けられているが、これに限定されるものではない。通信待機要求手段１２４をカメラ本体２００（カメラ制御部２１０）に設けてもよい。
【００３１】
次に、図３を参照して、本実施形態における通信制御について説明する。図３は、カメラ本体２００と交換レンズ１００との間の通信（通信制御）のフローチャートであり、カメラ本体２００から交換レンズ１００に対して１ｂｙｔｅのデータを送信する場合を示している。図３の各ステップは、カメラ本体２００のカメラ制御部２１０または交換レンズ１００のレンズ制御部１２０により実行される。
【００３２】
まずステップＳ１０１において、交換レンズ１００（レンズ制御部１２０）がカメラ本体２００からの駆動命令を待っている状態で、カメラ制御部２１０は、レンズ制御部１２０に対してＣＭＯＳ通信（ＣＭＯＳ方式の通信）で１ｂｙｔｅのデータを送信する。続いてステップＳ１０２において、カメラ制御部２１０は、通信方式をＣＭＯＳ通信からオープンドレイン通信（オープンドレイン方式の通信）に切り替える。続いてステップＳ１０３において、レンズ制御部１２０は、ステップＳ１０１にて送信された１ｂｙｔｅのデータを受信した後、端子１２３ｂからＢＵＳＹ＝「１」を出力する。これにより、通信待機要求手段１２４のＮｃｈＦＥＴ１２４ｂがＯＮし、基準信号ＬＣＬＫがＬｏｗレベルになる。カメラ制御部２１０は、基準信号ＬＣＬＫのレベルを検知し、基準信号ＬＣＬＫのレベルがＬｏｗレベルからＨｉレベルに切り替わるまで通信を待機する。レンズ制御部１２０は、ＢＵＳＹ＝「１」を出力している間、ステップＳ１０１にて受信したデータを処理する。
【００３３】
続いてステップＳ１０４において、レンズ制御部１２０（レンズマイコン１２１）は、データの処理が終了したか否か、すなわちＢＵＳＹ信号（通信待機信号）が解除されたか否かを判定する。データの処理が終了するまでステップＳ１０４を繰り返す。一方、データの処理が終了すると、ＢＵＳＹ信号が解除される（すなわち、レンズ制御部１２０はＢＵＳＹ＝「０」を出力する）ことにより、ＮｃｈＦＥＴ１２４ｂのドレインが開放される（ＮｃｈＦＥＴ１２４ｂがＯＦＦする）。
【００３４】
続いてステップＳ１０６において（ステップＳ１０５、Ｓ１０６の直後）、レンズ制御部１２０は、ＰｃｈＦＥＴ１２４ａを瞬間的にＯＮし（端子１２３ａから、ＢＵＳＹ＿ＰＵＳＨ＝「０」を瞬間的に出力し）、端子３０５の基準信号ＬＣＬＫをＨｉレベルにする。続いてステップＳ１０７において（ステップＳ１０６の後、即座に）、レンズ制御部１２０は、ＰｃｈＦＥＴ１２４ａをＯＦＦにする（ＢＵＳＹ＿ＰＵＳＨ＝「１」に戻す。続いてステップＳ１０８において、カメラ制御部２１０は、基準信号ＬＣＬＫがＨｉレベルに切り替わったことを検知することにより、交換レンズ１００の通信待機状態が解除された（ＢＵＳＹ解除）と判定する。そしてカメラ制御部２１０は、通信方式をオープンドレイン方式からＣＭＯＳ方式に切り替え、通信を継続する。
【００３５】
このようにレンズ制御部１２０（またはカメラ制御部２１０）は、通信状態を判定する。通信状態が第１の状態（通信待機状態）である場合、ＮｃｈＦＥＴ１２４ｂをＯＮする（Ｓ１０３、Ｓ１０４）。一方、通信状態が第２の状態（ＢＵＳＹ解除状態）である場合、ＮｃｈＦＥＴ１２４ｂをＯＦＦしてＰｃｈＦＥＴ１２４ａを一時的にＯＮする（Ｓ１０５〜Ｓ１０７）。
【００３６】
次に、図４を参照して、図３のステップＳ１０６、Ｓ１０７を実行しない場合（ＢＵＳＹ＿ＰＵＳＨ信号を出力しない場合）と各ステップを実行した場合（本実施形態のようにＢＵＳＹ＿ＰＵＳＨ信号を瞬間的に出力した場合）との差異について説明する。図４は、通信待機要求時のタイミングチャートであり、ＢＵＳＹ＿ＰＵＳＨ信号を出力しない場合（従来の方式）とＢＵＳＹ＿ＰＵＳＨ信号を瞬間的に出力した場合（本実施形態）とを比較して示している。また図４において、図３のステップＳ１０２、Ｓ１０３、Ｓ１０５〜Ｓ１０７を、対応するタイミングと関連付けて示している。
【００３７】
図４に示されるように、従来の方式では、ＢＵＳＹ解除時にプルアップ抵抗１２５により基準信号ＬＣＬＫが立ち上がるが、プルアップ抵抗１２５と基準信号ＬＣＬＫの信号線の寄生容量成分により、ＣＲの充電曲線を描いてゆっくり立ち上がる。この遅い立ち上がりにより、カメラ本体２００に通信待機状態の解除の通知が遅れ、通信時間の遅延に繋がる。一方、本実施形態では、図３のステップＳ１０５の直後にステップＳ１０６、Ｓ１０７を実行することにより、即座に基準信号ＬＣＬＫを立ち上げることができる。その結果、図４の中の期間ａだけ通信時間を短縮することができる。また、基準信号ＬＣＬＫの遅い立ち上がりは、交換レンズ１００にも影響を及ぼす。すなわち基準信号ＬＣＬＫの遅い立ち上がりは、レンズマイコン１２１がカメラ本体２００から送信されたデータの１ｂｉｔ目（最初のｂｉｔ）と誤検知することにより、カメラ本体２００と交換レンズ１００との間でｂｉｔズレを生じる可能性がある。一方、本実施形態によれば、このような誤検知を回避することができる。
【００３８】
このように本実施形態において、通信部１２３は、第１の通信方式（オープンドレイン方式）と第２の通信方式（ＣＭＯＳ方式）によりカメラ本体２００と通信可能である。信号出力部（通信待機要求手段１２４）は、第１の通信方式による通信の際に、通信状態に関する信号（基準信号ＬＣＬＫ、端子３０５の電圧）をカメラ本体２００に出力する。また信号出力部は、第１のトランジスタ（ＮｃｈＦＥＴ１２４ｂ）および第２のトランジスタ（ＰｃｈＦＥＴ１２４ａ）を有する。第１のトランジスタは、第１の通信方式による通信の際に、通信状態に関する信号を第１のレベル（Ｌｏｗレベル）に制御する。第２のトランジスタは、第１の通信方式による通信の際に、通信状態に関する信号を第１のレベル（Ｌｏｗレベル）から第２のレベル（Ｈｉｇｈレベル）へ変化させる。なお、第１のトランジスタおよび第２のトランジスタはそれぞれＮｃｈＦＥＴおよびＰｃｈＦＥＴに限定されるものではなく、他のトランジスタであってもよい。
【００３９】
好ましくは、信号出力部は、通信状態がカメラ本体２００との通信を行わない通信待機状態（通信不能状態）である場合、第１のトランジスタをオンし、通信状態に関する信号を第１のレベルに制御する。より好ましくは、信号出力部は、通信待機状態を解除する際に、第１のトランジスタをオフしてから第２のトランジスタを一時的（瞬間的）にオンすることにより、通信状態に関する信号を第１のレベルから第２のレベルへ変化させる。
【００４０】
以上のように、本実施形態の通信待機要求手段１２４は、ＢＵＳＹ＿ＰＵＳＨ信号を出力することにより、同期通信の基準信号ＬＣＬＫの立ち上がりを高速化することができる。このため本実施形態によれば、通信時間を短縮することが可能なレンズ装置および撮像装置を提供することが可能である。
【００４１】
以上、本発明の好ましい実施形態について説明したが、本発明はこれらの実施形態に限定されず、その要旨の範囲内で種々の変形及び変更が可能である。
【符号の説明】
【００４２】
１００：交換レンズ（レンズ装置）
１２３：通信部
１２４：通信待機要求手段（信号出力部）
１２４ａ：ＰｃｈＦＥＴ（第２のトランジスタ）
１２４ｂ：ＮｃｈＦＥＴ（第１のトランジスタ）
【図１】
2018081219.tif 000003
【図２】
2018081219.tif 000004
【図３】
2018081219.tif 000005
【図４】
2018081219.tif 000006